(57)【要約】【課題】空調対象空間に対して複数の室内熱交換器を備えるような汎用性の高いシステムにおいて、除湿性能と省エネルギー性能の向上を図ること。【解決手段】空調対象空間１に対して複数の室内熱交換器９が備えられ、圧縮機６、室外熱交換器７、膨張部８、及び、複数の室内熱交換器９に冷媒を通流させる冷媒回路２と、空調対象空間１外の空気を空調対象空間１内に供給する給気路３と、空調対象空間１内の空気を空調対象空間１外に排気する排気路４と、給気路３にて空調対象空間１内に供給される空気の水分を吸着し、排気路４にて空調対象空間１外に排気される空気へ水分を放出する除湿部５と、冷媒回路２の冷媒により排気路４にて除湿部５に供給される前の空気を加熱する加熱部１４と、冷媒回路２の冷媒により給気路３にて空調対象空間１内に供給される空気を冷却する冷却部１５とが備えられている。【選択図】図１
2016003799.tif 000002
【特許請求の範囲】
【請求項１】
空調対象空間に対して複数の室内熱交換器が備えられ、
圧縮機、室外熱交換器、膨張部、及び、複数の前記室内熱交換器に冷媒を通流させる冷媒回路と、
前記空調対象空間外の空気を前記空調対象空間内に供給する給気路と、
前記空調対象空間内の空気を前記空調対象空間外に排気する排気路と、
前記給気路にて前記空調対象空間内に供給される空気の水分を吸着し、前記排気路にて前記空調対象空間外に排気される空気へ水分を放出する除湿部と、
前記冷媒回路の冷媒により前記排気路にて前記除湿部に供給される前の空気を加熱する加熱部と、
前記冷媒回路の冷媒により前記給気路にて前記空調対象空間内に供給される空気を冷却する冷却部とが備えられている空調システム。
【請求項２】
前記冷媒回路において複数の前記室内熱交換器と前記冷却部が直列接続されている請求項１に記載の空調システム。
【請求項３】
前記冷却部として、前記給気路において空気の通流方向で前記除湿部よりも上流側に配置された第１冷却部と前記除湿部よりも下流側に配置された第２冷却部とが備えられ、
前記冷媒回路において前記第１冷却部と前記第２冷却部とが並列又は直列接続されている請求項１又は２に記載の空調システム。
【請求項４】
前記圧縮機、前記室外熱交換器、複数の前記膨張部、複数の前記室内熱交換器、前記冷媒回路、前記給気路、前記排気路、前記除湿部、前記加熱部、及び、前記冷却部を有する機器群を１つの単位とする単位機器群が構成され、
前記空調対象空間を複数のゾーンに区分けし、それら複数のゾーンの夫々に対して前記単位機器群が１つずつ備えられている請求項１〜３の何れか１項に記載の空調システム。
【発明の詳細な説明】
【技術分野】
【０００１】
本発明は、空調対象空間の空調を行う空調システムに関する。
【背景技術】
【０００２】
上記のような空調システムとして、例えば、空調対象空間の冷房や暖房を行う直膨式の空調装置と、空調対象空間の除湿を行うデシカント装置とを組み合わせたシステムが提案されている（例えば、特許文献１、２参照。）。
【０００３】
この特許文献１、２に記載のシステムでは、直膨式の空調装置が、圧縮機、室外熱交換器、膨張部、室内熱交換器に冷媒を通流させる冷媒回路を備えており、空調対象空間に備えられた室内熱交換器に冷媒を供給することで、空調対象空間の冷房や暖房を行うようにしている。デシカント装置は、室外の空気を室内に供給する給気路と、室内の空気を室外に排気する排気路と、給気路にて室外から室内に供給される空気の水分を吸着し、排気路にて室内から室外に排気される空気に水分を放出する除湿部（デシカントロータ）とを備えており、空調対象空間の換気及び除湿を行うようにしている。
【０００４】
上記特許文献１に記載のシステムでは、排気路のデシカントロータよりも上流側に加熱熱交換器を備え、その加熱熱交換器に冷媒を供給して、排気路にてデシカントロータに供給する前の空気を加熱することで、冷媒が有する熱をデシカントロータの再生にも用いるようにしている。また、上記特許文献２に記載のシステムでは、排気路のデシカントロータよりも上流側に加熱熱交換器を備えるだけでなく、給気路のデシカントロータよりも上流側または下流側に冷却熱交換器を備え、その冷却熱交換器に冷媒を供給して、給気路にて空調対象空間に供給する空気の冷却を行うようにしている。これにより、上記特許文献２に記載のシステムでは、冷媒が有する熱を、デシカントロータの再生だけでなく、給気路にて空調対象空間に供給する空気の冷却にも用いるようにしている。
【０００５】
このように、上記特許文献１、２に記載のシステムでは、冷媒が有する熱を、空調装置だけでなく、デシカント装置でも利用することで、省エネルギー性能の向上を図るようにしている。
【先行技術文献】
【特許文献】
【０００６】
【特許文献１】特開２００５−１８０８８５号公報
【特許文献２】特許第５０６２２１６号公報
【発明の概要】
【発明が解決しようとする課題】
【０００７】
しかしながら、上記特許文献１に記載のシステムでは、冷媒が有する熱をデシカント装置にて利用するに当たり、デシカントロータの再生に用いるだけであるので、省エネルギー性能の面で改善の余地がある。この点、上記特許文献２に記載のシステムでは、冷媒が有する熱を、デシカントロータの再生に加えて、給気路にて空調対象空間に供給する空気の冷却にも用いており、上記特許文献１に記載のシステムよりも省エネルギー性能の向上を図ることができる。
【０００８】
しかしながら、上記特許文献２に記載のシステムは、空調対象空間に対して１つの室内熱交換器を備える、又は、複数の空調対象空間の夫々に対して室内熱交換器を１つずつ備えるシステムとなっており、空調対象空間の空調を適切に行えない可能性がある。
【０００９】
それに対して、最近、空調対象空間に対して複数の室内熱交換器を備えるような空調システムが普及している。このシステムでは、空調対象空間が大きな空間であっても、複数の室内熱交換器によってその空調対象空間を適切に空調できる。よって、このような空調システムは、ビル等の建物に広く汎用することができることから、このような汎用性の高い空調システムにおいて、除湿性能と省エネルギー性能の向上を図ることが望まれている。
【００１０】
この実情に鑑み、本発明の主たる課題は、空調対象空間に対して複数の室内熱交換器を備えて空調対象空間を適切に空調できるようなシステムにおいて、除湿性能と省エネルギー性能の向上を図ることができる空調システムを提供する点にある。
【課題を解決するための手段】
【００１１】
本発明の第１特徴構成は、空調対象空間に対して複数の室内熱交換器が備えられ、
圧縮機、室外熱交換器、膨張部、及び、複数の前記室内熱交換器に冷媒を通流させる冷媒回路と、
前記空調対象空間外の空気を前記空調対象空間内に供給する給気路と、
前記空調対象空間内の空気を前記空調対象空間外に排気する排気路と、
前記給気路にて前記空調対象空間内に供給される空気の水分を吸着し、前記排気路にて前記空調対象空間外に排気される空気へ水分を放出する除湿部と、
前記冷媒回路の冷媒により前記排気路にて前記除湿部に供給される前の空気を加熱する加熱部と、
前記冷媒回路の冷媒により前記給気路にて前記空調対象空間内に供給される空気を冷却する冷却部とが備えられている点にある。
【００１２】
本特徴構成によれば、空調対象空間に対して複数の室内熱交換器が備えられているので、上述の如く、空調対象空間を適切に空調できるとともに、熱を搬送する際の熱搬送ロスやコストの低減を図ることができ、ビル等の建物に広く汎用できる汎用性の高いシステムとすることができる。このような汎用性の高いシステムにおいて、加熱部では、冷媒により除湿部に供給される前の空気を加熱するとともに、冷却部では、冷媒により空調対象空間内に供給される給気路の空気を冷却することができる。よって、冷媒が有する熱を、デシカントロータ（除湿部）の再生だけでなく、給気路にて空調対象空間に供給する空気の冷却にも用いることで、除湿性能と省エネルギー性能の向上を図ることができる汎用性の高い空調システムを提供することができる。
【００１３】
しかも、加熱部では、元々室外熱交換器にて外部に放熱していた熱を利用して、除湿部に供給される前の空気を加熱しているので、熱を有効に活用して外部への放熱量を小さくでき、省エネルギー性能の向上の面で有用なものとなる。更に、加熱部及び冷却部では、複数の室内熱交換器の夫々に供給される冷媒が有する熱を利用しているので、１つの室内熱交換器に供給される冷媒が有する熱が小さくても、複数の室内熱交換器の夫々に供給される冷媒が有する熱を集めて利用することができる。よって、冷媒が有する熱を、デシカントロータの再生及び給気路にて空調対象空間に供給する空気の冷却に利用する際に、十分な熱を確保することができ、効果的に且つ適切に利用することができ、この点からも、除湿性能と省エネルギー性能の向上を図ることができる。
【００１４】
本発明の第２特徴構成は、前記冷媒回路において複数の前記室内熱交換器と前記冷却部が直列接続されている点にある。
【００１５】
本特徴構成によれば、例えば、冷媒の通流方向で複数の室内熱交換器、冷却部の順に直列接続することができる。この場合には、複数の室内熱交換器の夫々に供給された後の冷媒が有する熱を冷却部にて利用できるので、冷媒が有する熱を、まずは複数の室内熱交換器の夫々にて優先的に用いて空調対象空間の空調を行いながら、残りの熱にて冷却部での冷却を行うことができる。これにより、複数の室内熱交換器による空調対象空間の空調を優先して適切に行うことができながら、除湿性能と省エネルギー性能の向上を図ることができる。
【００１６】
本発明の第３特徴構成は、前記冷却部として、前記給気路において空気の通流方向で前記除湿部よりも上流側に配置された第１冷却部と前記除湿部よりも下流側に配置された第２冷却部とが備えられ、
前記冷媒回路において前記第１冷却部と前記第２冷却部とが並列又は直列接続されている点にある。
【００１７】
本特徴構成によれば、第１冷却部による冷却を行うことで、除湿部に供給する空気の相対湿度を上昇させ、除湿部による水分の吸着を効率よく且つ効果的に行うことができる状態を現出させることができる。しかも、第２冷却部による冷却を行うことで、除湿部による水分吸着により温度が上昇した空気を冷却することができる。よって、例えば、室内熱交換器により空調対象空間を冷房している場合には、その冷房されている空調対象空間に対してその冷却された空気を供給でき、冷房の効果を阻害することなく、換気及び除湿を行うことができ、快適な空調環境を提供することができる。
【００１８】
本発明の第４特徴構成は、前記圧縮機、前記室外熱交換器、複数の前記膨張部、複数の前記室内熱交換器、前記冷媒回路、前記給気路、前記排気路、前記除湿部、前記加熱部、及び、前記冷却部を有する機器群を１つの単位とする単位機器群が構成され、
前記空調対象空間を複数のゾーンに区分けし、それら複数のゾーンの夫々に対して前記単位機器群が１つずつ備えられている点にある。
【００１９】
例えば、空調対象空間の大きさや形状によっては、複数のゾーンに区分けして、そのゾーン毎で空調を行った方が好適な場合がある。そこで、本特徴構成では、空調対象空間を複数のゾーンに区分けし、それら複数のゾーンの夫々に対して単位機器群を１つずつ備えるようにしている。これにより、空調対象空間を複数のゾーンに区分けした場合でも、各ゾーンにおいて、除湿性能と省エネルギー性能の向上を図りながら、そのゾーンの空調を適切に行うことができる。
【図面の簡単な説明】
【００２０】
【図１】空調システムの概略構成を示す図
【図２】空調対象空間を複数のゾーンに区分けしたときの空調システムの配置構成を示す図
【図３】第２実施形態における空調システムの概略構成を示す図
【図４】第３実施形態における空調システムの概略構成を示す図
【発明を実施するための形態】
【００２１】
本発明に係る空調システムの実施形態を図面に基づいて説明する。
〔第１実施形態〕
この空調システム１００は、図１に示すように、ビル等の建物の室内を空調対象空間１とし、その空調対象空間１の冷房や暖房を行うための室外機１０、複数の室内機１２、及び、それらを繋ぐ冷媒回路２と、空調対象空間１の換気及び除湿を行うための給気路３、排気路４、及び、デシカントロータ５（除湿部に相当する）とが備えられている。ちなみに、図１では、室内機１２の数を３つとしているが、この数は適宜変更することができる。
【００２２】
冷媒回路２は、圧縮機６、室外熱交換器７、複数の膨張弁８（膨張部に相当する）、及び、複数の室内熱交換器９に冷媒を通流させるように構成されている。複数の室内熱交換器９は、並列接続されており、冷媒が分岐して複数の室内熱交換器９の夫々に供給されている。室外機１０には、圧縮機６、室外熱交換器７、及び、室外ファン１１が備えられており、室外熱交換器７において室外ファン１１にて通風される空気（外気）を冷媒と熱交換させている。空調対象空間１に対して複数の室内機１２が備えられており、それら複数の室内機１２の夫々には、膨張弁８、室内熱交換器９、及び、室内ファン１３が備えられている。複数の室内機１２の夫々では、室内ファン１３によって、空調対象空間１から吸い込んだ空気を室内熱交換器９に供給し、その供給後の空気を空調対象空間１に戻すようにしており、空調対象空間１内の空気を室内熱交換器９にて冷媒と熱交換させる状態で循環させている。
【００２３】
図１に示す冷媒回路２では、圧縮機６、室外熱交換器７、複数の膨張弁８、複数の室内熱交換器９の順に冷媒を循環供給させることで、室外熱交換器７を凝縮器として機能させるとともに、複数の室内熱交換器９の夫々を蒸発器として機能させて、空調対象空間１の冷房を行うようにしている。
【００２４】
ちなみに、図示は省略するが、冷媒回路２に冷媒の通流状態を切り替える切替弁（例えば、四方弁）を設け、その切替弁によって、圧縮機６、複数の室内熱交換器９、複数の膨張弁８、室外熱交換器７の順に冷媒を循環供給させる状態に切り替えることで、室外熱交換器７を蒸発器として機能させるとともに、複数の室内熱交換器９を凝縮器として機能させて、空調対象空間１の暖房も行うことができる。
【００２５】
給気路３は、空調対象空間１外の空気（外気）を空調対象空間１内に供給する流路にて構成されており、排気路４は、空調対象空間１内の空気を空調対象空間１外に排気する流路にて構成されている。給気路３と排気路４とは隣接して備えられており、デシカントロータ５は、図外の駆動部により回転駆動することで、給気路３と排気路４を交互に通過するように配置されている。デシカントロータ５は、例えば、高分子吸着剤や、ゼオライト、シリカゲル等の吸着材を備えており、給気路３にて空調対象空間１内に供給される外気の水分を吸着し、排気路４にて空調対象空間１外に排気される空気へ水分を放出するように構成されている。
【００２６】
ここで、給気路３、排気路４、及び、デシカントロータ５の配置の仕方については、図示は省略するが、例えば、給気路３、排気路４、及び、デシカントロータ５を備えた除湿ユニットを構成し、室外機１０とは別に除湿ユニットを設けることができる。また、この除湿ユニットに代えて、室外機１０内に、給気路３、排気路４、及び、デシカントロータ５を備えさせることもできる。
【００２７】
このようにして、冷媒回路２によって空調対象空間１の冷房を行いながら、給気路３、排気路４、及び、デシカントロータ５によって空調対象空間１の換気及び除湿を行うようにしている。この空調システム１００では、空調対象空間１に対して複数の室内熱交換器９を備えているので、空調対象空間１が大きな空間であっても、複数の室内熱交換器９によって適切に冷房できる。このような空調システム１００は、多種多様な建物に対して用いることができ、ビル用マルチ空調システム等の汎用性の高いシステムとなっている。
【００２８】
この空調システム１００において、加熱部１４及び冷却部１５を備えることで、冷媒回路２の冷媒が有する熱を、空調対象空間１の冷房のためだけに用いるのではなく、デシカントロータ５の再生、及び、給気路３にて空調対象空間１に供給する外気の冷却にも用いるようにしている。
【００２９】
加熱部１４は、冷媒回路２の冷媒により排気路４にてデシカントロータ５に供給される前の空気を加熱するように構成されている。加熱部１４は、冷媒の供給を受けてその冷媒にて空気を直接加熱する熱交換器にて構成されており、排気路４において空気の通流方向でデシカントロータ５の手前箇所に配置されている。加熱部１４は、冷媒回路２において、圧縮機６と室外熱交換器７との間に直列接続される状態で配置されており、圧縮機６からの過熱蒸気の冷媒（高温高圧ガス）が供給されるように構成されている。
【００３０】
冷却部１５は、冷媒回路２の冷媒により給気路３にて空調対象空間１内に供給される外気を冷却するように構成されている。冷却部１５は、冷媒の供給を受けてその冷媒にて外気を直接冷却する熱交換器にて構成されている。冷却部１５は、冷媒回路２において複数の室内熱交換器９と圧縮機６との間に直列接続される状態で配置されており、室内熱交換器９からの過熱蒸気の冷媒（低圧ガス）が供給されるように構成されている。
【００３１】
冷却部１５として、給気路３において外気の通流方向でデシカントロータ５よりも上流側に配置された第１冷却部１５ａとデシカントロータ５よりも下流側に配置された第２冷却部１５ｂとが備えられている。第１冷却部１５ａは、給気路３において外気の通流方向でデシカントロータ５の手前箇所に配置されており、第２冷却部１５ｂは、給気路３において外気の通流方向でデシカントロータ５よりも下流側に配置されている。第１冷却部１５ａと第２冷却部１５ｂは、冷媒回路２において並列接続されており、室内熱交換器９からの過熱蒸気の冷媒（低圧ガス）が分岐供給されている。
【００３２】
冷媒回路２では、圧縮機６、加熱部１４、室外熱交換器７、複数の膨張弁８、複数の室内熱交換器９、冷却部１５（第１冷却部１５ａ及び第２冷却部１５ｂ）の順に冷媒を循環供給させている。これにより、複数の室内熱交換器９の夫々を蒸発器として機能させて、空調対象空間１の冷房を行うだけでなく、加熱部１４を凝縮器として機能させて排気路４にてデシカントロータ５に供給される前の空気を加熱することで、乾燥させた空気をデシカントロータ５に供給することができる。よって、排気路４におけるデシカントロータ５から空気への水分の放出を十分に行うことができるので、給気路３では水分が十分に放出されたデシカントロータ５にて水分の吸着を十分に行うことができ、除湿性能を向上することができる。
【００３３】
しかも、第１冷却部１５ａを蒸発器として機能させて、給気路３にてデシカントロータ５に供給される前の外気を冷却することで、相対湿度を上昇させ、デシカントロータ５による水分の吸着を効率よく且つ効果的に行うことができる状態を現出させることができ、この点からも、除湿性能の向上を図ることができる。更に、第２冷却部１５ｂを蒸発器として機能させて、デシカントロータ５による水分吸着により温度が上昇した外気を冷却させることができるので、室内熱交換器９により冷房されている空調対象空間１に対してその冷却された外気を供給でき、冷房の効果を阻害することなく、換気及び除湿を行うことができ、快適な空調環境を提供することができる。
【００３４】
また、冷媒回路２では、複数の室内熱交換器９、冷却部１５（第１冷却部１５ａ及び第２冷却部１５ｂ）の順に直列接続されていることから、回路構成が簡易になるとともに、室内熱交換器９と冷却部１５との２段階で蒸発させて、空調対象空間１を冷房するために用いられた後に残存している冷熱を冷却部１５にて利用することができ、快適な空調環境を得ることを優先させながら、省エネルギー性能の向上を図ることができる。
【００３５】
上述の如く、空調システム１００をビル用マルチ空調システムとして用いた場合には、図２に示すように、空調対象空間１を複数のゾーン１ａ〜１ｄに区分けしていることがある。図２に示すものでは、例えば、平面視でビルの中央部にトイレや階段等（図示省略）を備えたコアがあり、その周囲を囲む領域が空調対象空間１となっており、その空調対象空間１を東ゾーン１ａ、西ゾーン１ｂ、南ゾーン１ｃ、北ゾーン１ｄのように方角によって４つのゾーンに区分けしている。
【００３６】
この場合には、圧縮機６、室外熱交換器７、複数の膨張弁８、複数の室内熱交換器９、冷媒回路２、給気路３、排気路４、デシカントロータ５、加熱部１４、及び、冷却部１５を有する機器群を１つの単位とする単位機器群が構成されており、複数のゾーン１ａ〜１ｄの夫々に対して単位機器群が１つずつ備えられている。つまり、図２に示すように、東ゾーン１ａ、西ゾーン１ｂ、南ゾーン１ｃ、北ゾーン１ｄの夫々のゾーンに対して、１つの室外機１０と複数の室内機１２とそれらを繋ぐ冷媒回路２とが備えられている。このとき、各ゾーンに備える室内機１２の数や設置箇所については、ゾーン毎に変更することができ、そのゾーンを空調するのに適した数及び設置箇所が設定されている。
【００３７】
また、上述の如く、給気路３、排気路４、及び、デシカントロータ５については、それらを備えた除湿ユニットを室外機１０とは別に設ける、又は、室外機１０内に、給気路３、排気路４及びデシカントロータ５を備えさせることができる。よって、図２では省略しているが、東ゾーン１ａ、西ゾーン１ｂ、南ゾーン１ｃ、北ゾーン１ｄの夫々のゾーンに対して、給気路３、排気路４及びデシカントロータ５が１つずつ備えられている。
【００３８】
このように、複数のゾーン１ａ〜１ｄに区分けした場合でも、各ゾーンに対して、除湿性能を向上しながら、複数の室内熱交換器９によって適切に冷房を行うことができ、快適な空調環境を提供することができる。また、各ゾーンに対して単位機器群を１つずつ備えることができるので、空調対象空間１を空調するに当たり、その大きさや形状等の各種の条件によって複数のゾーンに区分けした方が好適に空調し易い場合でも、その要望に柔軟に対応することができる。
【００３９】
〔第２実施形態〕
上記第１実施形態では、図１に示すように、冷媒回路２における複数の室内熱交換器９と冷却部１５との接続構成として、複数の室内熱交換器９、冷却部１５の順に直列接続している。それに対して、この第２実施形態では、図３に示すように、冷媒回路２における複数の室内熱交換器９と冷却部１５との接続構成として、複数の室内熱交換器９と冷却部１５とを並列接続している。この場合には、冷媒回路２において、冷却部１５としての第１冷却部１５ａ及び第２冷却部１５ｂの夫々に対して、その手前箇所に膨張弁８が備えられている。その他の構成については、上記第１実施形態と同様である。
【００４０】
これにより、冷媒回路２では、室外熱交換器７からの過冷却液の冷媒を複数の膨張弁８の夫々に分岐供給して膨張させて湿り蒸気の冷媒とし、その湿り蒸気の冷媒を複数の室内熱交換器９、第１冷却部１５ａ、第２冷却部１５ｂの夫々に供給して蒸発させるようにしている。よって、複数の室内熱交換器９に加えて、第１冷却部１５ａ及び第２冷却部１５ｂも蒸発器として機能させて、空調対象空間１の冷房を行うだけでなく、第１冷却部１５ａ及び第２冷却部１５ｂでの外気の冷却を行うようにしている。
【００４１】
〔第３実施形態〕
上記第１及び第２実施形態では、図１及び図３に示すように、冷媒回路２における加熱部１４と室外熱交換器７の接続構成として、加熱部１４、室外熱交換器７の順に直列接続している。それに対して、この第３実施形態では、図４に示すように、冷媒回路２における加熱部１４と室外熱交換器７の接続構成として、室外熱交換器７、加熱部１４の順に直列接続している。これにより、冷媒回路２では、室外熱交換器７からの過冷却液の冷媒を加熱部１４に供給して凝縮させて、加熱部１４において排気路４にてデシカントロータ５に供給される前の空気を加熱するようにしている。
【００４２】
〔別実施形態〕
（１）上記第１〜第３実施形態において、図１、図３及び図４に示した冷媒回路２では、圧縮機６、加熱部１４、室外熱交換器７、複数の膨張弁８、複数の室内熱交換器９、冷却部１５（第１冷却部１５ａ及び第２冷却部１５ｂ）の順に冷媒を循環供給させて、空調対象空間１の冷房を行うようにしている。この冷房に加えて、上述の如く、冷媒回路２に冷媒の通流状態を切り替える切替弁（例えば、四方弁）を設け、その切替弁によって、圧縮機６、複数の室内熱交換器９、複数の膨張弁８、室外熱交換器７の順に冷媒を循環供給させる状態に切り替えることで、室外熱交換器７を蒸発器として機能させるとともに、複数の室内熱交換器９を凝縮器として機能させて、空調対象空間１の暖房も行うことができる。
【００４３】
この冷房と暖房を切り替えて行えるシステムでは、加熱部１４及び冷却部１５に対しても、冷媒の通流状態を切り替える切替流路及び切替弁を備え、圧縮機６、加熱部１４、複数の室内熱交換器９、複数の膨張弁８、室外熱交換器７、冷却部１５の順に冷媒を循環供給させる状態に切り替えることで、室外熱交換器７を蒸発器として機能させるとともに、複数の室内熱交換器９を凝縮器として機能させて、空調対象空間１の暖房を行いながら、加熱部１４によるデシカントロータ５の再生、及び、冷却部１５による給気路３にて空調対象空間１に供給する外気の冷却をも行うことができる。
【００４４】
（２）上記第１〜第３実施形態では、冷媒回路２において、第１冷却部１５ａと第２冷却部１５ｂを並列接続しているが、第１冷却部１５ａと第２冷却部１５ｂを直列接続して実施することもできる。この場合、第１冷却部１５ａと第２冷却部１５ｂのうち、どちらを上流側に配置するかについては適宜変更が可能である。
【００４５】
（３）上記第１〜第３実施形態では、冷却部１５として、第１冷却部１５ａと第２冷却部１５ｂの両方を備えているが、第１冷却部１５ａのみ、又は、第２冷却部１５ｂのみ備えることもできる。
【００４６】
（４）上記第１〜第３実施形態では、加熱部１４が冷媒の供給を受けてその冷媒にて空気を直接加熱する熱交換器にて構成されているが、例えば、冷媒と熱搬送流体とを熱交換させる第１熱交換器と、その第１熱交換器にて熱交換された熱搬送流体にて空気を加熱する第２熱交換器とを備えて、冷媒にて空気を間接的に加熱するようにしてもよい。
【００４７】
（５）上記第１〜第３実施形態では、冷却部１５が冷媒の供給を受けてその冷媒にて外気を直接冷却する熱交換器にて構成されているが、例えば、冷媒と熱搬送流体とを熱交換させる第３熱交換器と、その第３熱交換器にて熱交換された熱搬送流体にて外気を冷却する第４熱交換器とを備えて、冷媒にて外気を間接的に冷却するようにしてもよい。
【００４８】
（６）上記第１〜第３実施形態では、冷媒回路２において加熱部１４と室外熱交換器７を直列接続しているが、加熱部１４と室外熱交換器７を並列接続することもできる。
【００４９】
（７）上記第１及び第３実施形態では、冷媒回路２において、冷媒の通流方向で複数の室内熱交換器９、冷却部１５の順になるように直列接続しているが、逆に、冷媒の通流方向で冷却部１５、複数の室内熱交換器９の順になるように直列接続することもできる。
【産業上の利用可能性】
【００５０】
本発明は、空調対象空間に対して複数の室内熱交換器を備えるような汎用性の高いシステムにおいて、除湿性能と省エネルギー性能の向上を図ることができる各種の空調システムに適用可能である。
【符号の説明】
【００５１】
１          空調対象空間
２          冷媒回路
３          給気路
４          排気路
５          除湿部（デシカントロータ）
６          圧縮機
７          室外熱交換器
８          膨張部（膨張弁）
９          室内熱交換器
１４        加熱部
１５        冷却部
１５ａ      第１冷却部
１５ｂ      第２冷却部
【図１】
2016003799.tif 000003
【図２】
2016003799.tif 000004
【図３】
2016003799.tif 000005
【図４】
2016003799.tif 000006